(57)【特許請求の範囲】
【請求項１】
一対のバンドの端部間に、接続状態に配されるバンド用バックルであって、第１のバンド（１）及び第２のバンド（２）に取り付けられる第１及び第２の二つ折れ手段（１１，１２）と、第１のバンドと第１の二つ折れ手段との間にピン（２１，２４）により取り付けられ第１の二つ折れ手段の上を覆う第１の上蓋（１３）と、該第１の上蓋に配されるプッシュボタンユニット（１４）と、第１の二つ折れ手段に配されプッシュボタンユニットの操作により係止及び離脱される第１の係止具（１６）と、第１の二つ折れ手段に回転可能に支持されかつ第１の上蓋の上を覆った状態に被せられる安全蓋（１５）と、第２のバンドと第２の二つ折れ手段との間に取り付けられ第２の二つ折れ手段の上を覆う第２の上蓋（１９）と、第２の二つ折れ手段と第２の上蓋の間に取り付けられその開閉操作を規制するリンク部（１８）及び第２の係止具（１７）とを具備することを特徴とするダイバーバンド用バックル。
【請求項２】
第２の二つ折れ手段（１２）が、第１の係止具（１６）による係止時に、第１の上蓋（１３）によって押え付けられた状態に保持されることを特徴とする請求項１記載のダイバーバンド用バックル。
【請求項３】
第１のバンド（１）と第１の上蓋（１３）との間に、長さ調整機構（２０）が配されることを特徴とする請求項１または２記載のダイバーバンド用バックル。
【請求項４】
第２の二つ折れ手段（１２）は、第２の上方部材（１２Ｂ）と第２の下方部材（１２Ａ）とを第２の主ピン（１２Ｃ）によって回転可能に接続してなり、第２の二つ折れ手段とリンク部（１８）と第２の上蓋（１９）とにより４節リンク機構が形成され、第２の上方部材と第２の上蓋とのなす角度の変動時にリンク部が移動して第２の二つ折れ手段の開閉がなされることを特徴とする請求項１、２または３記載のダイバーバンド用バックル。
【請求項５】
第２の上方部材（１２Ｂ）に、第２の二つ折れ手段（１２）を開いた状態とした際に、第２の係止具（１７）を退避させるための穴部（１２ａ）が形成されることを特徴とする請求項１、２、３、または４記載のダイバーバンド用バックル。
【発明の詳細な説明】
【０００１】
【発明の属する技術分野】
本発明は、ダイバーバンド用バックルに係り、特にダイバーウオッチのバンドの長さ調節機能を有するものである。
【０００２】
【従来の技術】
ダイバーウオッチにあっては、例えば陸上及び水中のように、著しく変化する環境下で使用され、さらに、そのファッション性により、日常から装着される場合がある。
【０００３】
【発明が解決しようとする課題】
ダイバーウオッチを手首等に装着する場合には、既存の時計バンドと止め金具を使用することが考えられるが、環境の変化にともなって、装着位置を例えば手首から腕に変更する場合、また、日常生活において使用し、その装着状態からウェットスーツ等の着衣状態で装着する場合であると、バンドの長さを広い範囲にわたって調整する必要がある。
さらに、時計バンドを手首に直接（皮膚に直接）装着する場合にあっては、使用者の体質と金属の種類との組み合わせによってアレルギー反応を示すことがあり、純チタン等の刺激の少ない金属を使用すると、バックルの摩耗が大きくなる傾向が増大することになる。
【０００４】
本発明は、上記の事情に鑑みてなされたもので、以下の目的を達成しようとするものである。
▲１▼不用意にバックルが外れる等の不具合をなくし安全性を高めること。
▲２▼バンド長さの調節範囲を拡大すること。
▲３▼バンド長さの調節時の操作性を高めること。
▲４▼時計の着脱性を高めること。
▲５▼突出部分を少なくして衣服等に引っかかる等の現象の発生を低減すること。
▲６▼摩耗発生部位を低減すること。
【０００５】
【課題を解決するための手段】
本発明に係るダイバーバンド用バックルにあっては、一対のバンドの端部間に接続状態に配されるもので、第１のバンド及び第２のバンドに取り付けられる第１及び第２の二つ折れ手段と、第１のバンドと第１の二つ折れ手段との間にピンにより取り付けられ第１の二つ折れ手段の上を覆う第１の上蓋と、該上蓋に配されるプッシュボタンユニットと、第１の二つ折れ手段に配されプッシュボタンユニットの操作により係止及び離脱される第１の係止具と、第１の二つ折れ手段に回転可能に支持されかつ第１の上蓋の上を覆った状態に被せられる安全蓋と、該安全蓋と第１の二つ折れ手段との間に介在状態に配され安全蓋の回転を抑制するクリック手段と、第２のバンドと第２の二つ折れ手段との間に取り付けられ第２の二つ折れ手段の上を覆う第２の上蓋と、第２の二つ折れ手段と第２の上蓋の間にピンにより介在状態に取り付けられその開閉操作を規制するリンク部と、第２の上蓋に配されその開閉操作を抑制する第２の係止具とを具備する構成が採用される。
第２の二つ折れ手段にあっては、第１の係止具による係止時に、第１の上蓋によって押え付けられた状態に保持される。
第１のバンドと第１の上蓋との間、または第２のバンドと第２の二つ折れ手段との間には、長さ調整機構が配される。
第１の二つ折れ手段は、上方部材と下方部材とを主ピンによって回転可能に接続してなり、第１の係止具が、下方部材に上方に突出状態に配される。
第２の二つ折れ手段は、第２の上方部材と第２の下方部材とを第２の主ピンによって回転可能に接続してなり、リンク部及び第２の上蓋を介在させた状態で第２のバンドに接続される。
第２の上蓋及びリンク部は、第２の二つ折れ手段との間で、４節リンク機構を形成し、第２の係止具を、第１及び第２の二つ折れ手段の組み付けピンに支持させた状態で、第２の上方部材と第２の上蓋とのなす角度を変える際に、リンク部が第２の上方部材に近接または離間した状態となり、第２の二つ折れ手段の開閉と第２の係止具の係脱とが可能となる。
第２の上方部材には、第２の二つ折れ手段を開いた状態とした際に、第２の係止具をはめ込んで退避させる穴部が形成される。
第２の二つ折れ手段は、開いた状態とした際に腕もしくはウエットスーツ着用時の手首への装着寸法に設定され、閉じた状態とした際に手首への装着寸法に設定される。
第１の上蓋の上面には、安全蓋の先端部を収納する凹部が配される構成が付加される。
第１の上蓋と第２の上蓋との上面が、第１、第２の二つ折れ手段を閉じた際に、ほぼ同一曲面を形成するように設定される。
プッシュボタンユニットには、横方向に移動可能に配される一対の移動子と、該移動子を収容しその移動を案内するガイドと、移動子に一体に配され移動子を中央に押し込む操作をするためのボタン部と、ガイドに収容され移動子をボタン部の方向に付勢する弾発部材と、移動子に配され第１の二つ折れ手段に上方に突出状態に配される係止具に掛け止めされるローラ部とが配される構成が採用される。
結合ピンにあっては、第１の二つ折れ手段の両側部よりも突出状態に配され、結合ピンの突出部分に安全蓋の係止凹部が支持される構成とされ、結合ピンは、頭部を丸めたばね棒によって構成される。
さらに、ダイバーバンド用バックルにあっては、少なくとも裏面がチタン材により構成される技術が採用される。
【０００６】
【発明の実施の形態】
以下、本発明に係るダイバーバンド用バックルの一実施形態について、図１ないし図１０を参照して説明する。
【０００７】
これら各図において、符号Ｘは時計、１，２は第１及び第２のダイバーバンド片（第１及び第２のバンド）、１０はダイバーバンド用バックル、１１，１２は第１及び第２の二つ折れ手段、１３は第１の上蓋、１４はプッシュボタンユニット、１５は安全蓋、１６，１７は第１及び第２の係止具、１８はリンク部、１９は第２の上蓋、２０は長さ調整機構である。
【０００８】
これらの詳細について、以下説明する。
【０００９】
前記第１及び第２のダイバーバンド片１，２は、例えば手首に装着されるダイバーウオッチ用のバンド（いわゆる時計バンド）であり、図１、図８等に示すように、これらの端部間に、接続状態にダイバーバンド用バックル１０が配され、かつ時計Ｘを介在させてループを形成している。
これら、第１及び第２のダイバーバンド片１，２、ダイバーバンド用バックル１０は、少なくとも皮膚に接する部分である裏面等が、皮膚に対してアレルギー性反応が少ないとされる純チタン材によって構成される。
【００１０】
前記第１の二つ折れ手段１１にあっては、図２、図４及び図７等に示すように、第２の二つ折れ手段１２と第１の上蓋１３との間に接続状態に配されるもので、下方部材１１Ａと、その上に重ねられる上方部材１１Ｂとの間が、主ピン１１Ｃにより回転可能に接続され、下方部材１１Ａの先端側に、第２の二つ折れ手段１２、リンク部１８及び第２の上蓋１９を介して第２のダイバーバンド片２が取り付けられるとともに、上方部材１１Ｂの先端部に、第１の二つ折れ手段１１の上を覆う第１の上蓋１３が結合ピン（ピン）２１により回転可能に取り付けられる。
【００１１】
さらに、下方部材１１Ａには、プレス加工等により、図４及び図７等に示すように、上方部材１１Ｂ及び第２の二つ折れ手段１２に接続するための接続用折返し部１１ａ，１１ｂと、全体の強度を高めるための補強リブ１１ｃ，１１ｄとが形成される。
【００１２】
前記上方部材１１Ｂは、プレス加工等により、図７等に示すように、下方部材１１Ａと第１の上蓋１３との間に介在状態に配され、主ピン１１Ｃ及び結合ピン２１を介して回転可能に接続するための接続用折返し部１１ｅ，１１ｆと、閉じた状態とした場合に第１の係止具１６をプッシュボタンユニット１４との係合位置まで突出させるための貫通穴１１ｇとが形成される。
【００１３】
前記第２の二つ折れ手段１２にあっては、プレス加工する等により、図７、図９及び図１０等に示すように、第２の下方部材（下方部材）１２Ａ及び第２の上方部材（上方部材）１２Ｂと、これらを回転可能に接続する主ピン１２Ｃとを有する構造とされ、下方部材１１Ａ及びリンク部１８に対して、組み付けピン（ピン）２２及び結合ピン（ピン）２３により回転可能に取り付けられる。
【００１４】
第２の下方部材１２Ａには、図７及び図９等に示すように、第１の二つ折れ手段１１に準じて、上方部材１２Ｂ及び第１の二つ折れ手段１１に接続するための接続用折返し部や、全体の強度を高めるための補強リブが形成される。
【００１５】
前記第２の上方部材１２Ｂには、図７、図９及び図１０等に示すように、第２の下方部材１２Ａとリンク部１８との間に介在状態に配され、第１の二つ折れ手段１１に準じて、主ピン１２Ｃ及び結合ピン２３を介して回転可能に接続するための接続用折返し部が形成されるが、先端中央部に、開いた状態にした場合に第２の係止具１７をはめ込んで待避させるための穴部１２ａとが形成される。
【００１６】
第２の係止具１７は、第２の上蓋１９に一体に形成され、図９に示すように、組み付けピン（ピン）２２に対して掛け止め状態に契合されるものであり、リンク部１８は、第２の上方部材１２Ｂと第２の上蓋１９とに、結合ピン２３と結合ピン２６とにより結合され、第２の上蓋１９は、結合ピン２７により第２のダイバーバンド片２に取り付けられる。
【００１７】
第２の上蓋１９は、図１に示すように、第１の上蓋１３の先端によって覆われるとともに、第１の上蓋１３と第２の上蓋１９との上面が、ほぼ同一曲面を形成するように設定される。
【００１８】
また、第２の二つ折れ手段１２は、ダイバーウオッチを手首に装着した場合と腕に装着した場合とで、また、通常使用の場合とウェットスーツ等の装着時との場合で、周寸法に大きな差が生じることを考慮して、図８に概略的に示すように、閉じた状態と開いた状態との寸法差Ｌが設定される。
【００１９】
前記第１の上蓋１３には、図１，図２及び図７に示すように、第１のバンド１が長さ調整機構２０を介在させた状態で接続され、これらの接続位置は、調整ピン（ピン）２４を「バネ」棒として第１の上蓋１３の複数の調整穴１３ａとの係合位置を変えることにより調整される。
そして、第１の上蓋１３の上面には、図１及び図７に示すように、安全蓋１５におけるブリッジ状をなす先端部を収納して上面への突出量を少なくするための凹部１３ｂが配され、該凹部１３ｂに連設状態に安全蓋１５の先端縁部をこじあける際に手指または爪を入れるための操作窪部１３ｃが形成される。
【００２０】
前記プッシュボタンユニット１４は、図１ないし図３及び図７等に示すように、第１の上蓋１３の内部に組み込み状態に配され、第１の係止具１６との間の係止状態及び離脱状態の選択により、第１の二つ折れ手段１１の開閉の可否を設定するものである。
【００２１】
プッシュボタンユニット１４には、図３に示すように、第１の上蓋１３の内部の角筒状のガイド１３ｄにより移動可能に支持され対向状態に組み合わせられる二つ（一対）の移動子１４ａと、該移動子１４ａを付勢力により移動させるスプリング（弾発部材）１４ｂと、移動子１４ａの突出部分であるボタン部１４ｃと、該ボタン部１４ｃの反対位置に配されるローラ支持片１４ｄと、該ローラ支持片１４ｄに回転可能にかつ対向状態に配されるローラ部１４ｅと、スプリング１４ｂを収納して付勢力を受けるための段部１４ｆ，１４ｇと、段部１４ｆの近傍に配されてガイド１３ｄの内側面に配されたストッパ１３ｅに当たって外側への移動が阻止される当接部１４ｈとが形成される。
なお、スプリング１４ｂの付勢力による移動子１４ａの突出は、対向状態の一対のローラ部１４ｅが接触状態となったとき、あるいは後述するように、一対のローラ部１４ｅの間に第１の係止具１６が介在して挟持状態となったときに抑制される。
【００２２】
前記安全蓋１５は、図５ないし図７に示すように、第１，第２の二つ折れ手段１１，１２における下方部材１１Ａ，１２Ａの組み付けピン２２に回転可能に支持され、図１に示す第１の上蓋１３の上を覆って第１の上蓋１３の「開」操作を抑制した状態と、図５に鎖線で示す角度α（９０度程度）ないし図６に実線で示す角度β（１４０度程度）開いた第１の上蓋１３の「開」及び「閉」状態との選択により、ダイバーバンド用バックル１０の長さを調整可能な状態とするものである。
【００２３】
そして、安全蓋１５と下方部材１１Ａの側部との間には、閉じた状態であることを回転抵抗の増大で知らせてその保持を行なうとともに、回転位置を明確にするために、結合ピン２１の先端に係合するクリック穴２５が配される。この場合にあって、結合ピン２１は、ばね棒が採用されて、第１の二つ折れ手段１１の両側部よりも突出状態に配され、弾発力によってクリック穴（係止凹部）２５との係合状態と非係合状態との切り替え操作を明確にする。
【００２４】
前記第１の係止具１６は、第１の二つ折れ手段１１における下方部材１１Ａの内部の中心に、図４及び図７に示すように、上方に突出状態に配され、前述したプッシュボタンユニット１４におけるローラ部１４ｅを掛け止めするためのオーバーハング部１６ａと、ローラ支持片１４ｄのローラ部１４ｅを転動させるガイド部１６ｂとを有している。
そして、第１の係止具１６は、図１及び図４に示すように、下方部材１１Ａの底面の一部を切り起こす方法、あるいは別途作成したものを下方部材１１Ａの底部に溶接すること等により形成されるとともに、係止時に上方部材１１Ｂの貫通穴１１ｇを経由してローラ支持片１４ｄを突出状態とするように設定される。
【００２５】
前記長さ調整機構２０は、図７に示すように、少なくとも第１の上蓋１３に配されて、ダイバーバンド全体のループ長さ（周寸法）を調整するものである。
該長さ調整機構２０は、第１の上蓋１３に形成した複数の調整穴１３ａと、第１のダイバーバンド片１の先端の穴に挿入されて調整穴１３ａの一つに弾発力によって係合状態に嵌め込まれる調整ピン２４とによって構成される。
【００２６】
このように構成されているダイバーバンド用バックルにおけるダイバーウオッチの掛け外し及び長さ調整操作について以下説明する。
【００２７】
ダイバーウオッチの着脱、つまりダイバーバンド用バックル１０の掛け外しは、第１の上蓋１３と安全蓋１５との開閉操作をともなって行なわれる。
図１に示すように、第１の上蓋１３及び安全蓋１５が閉じた状態では、プッシュボタンユニット１４におけるローラ部１４ｅが、第１の係止具１６を挟持することにより、第１の二つ折れ手段１１の開閉が抑止される。
【００２８】
この際に、プッシュボタンユニット１４が両側から押されても、安全蓋１５が閉じていることにより、第１の上蓋１３の開放操作が抑制される。
なお、第１の上蓋１３及び安全蓋１５が閉じている場合には、図２に示すように、安全蓋１５が第１の上蓋１３における凹部１３ｂに収容されて突出部分がなく、加えて図５に示すように、結合ピン２１がクリック穴２５に係合してロックする機能が働くことにより、安全蓋１５が不用意に開くことが防止される。
【００２９】
第１の上蓋１３における操作窪部１３ｃに手指を入れて、安全蓋１５を図５に示す角度αだけ開くと、第１の上蓋１３の上方が開放される。
結合ピン２１がクリック穴２５が外れる際に、弾発力により操作抵抗が急減することにより、開く操作の確認が可能となる。
【００３０】
安全蓋１５を開いた状態では、プッシュボタンユニット１４におけるボタン部１４ｃを押す操作で、一対のローラ部１４ｅの間隔が大きくなって、第１の係止具１６におけるオーバーハング部１６ａの挟持を解放し、第１の上蓋１３とともに第１の二つ折れ手段１１を上方に移動させる開く操作により、下方部材１１Ａと上方部材１１Ｂとが開いた状態となって、ループ寸法が大きくなり、ダイバーウオッチ等を手首から外す等の操作が可能となる。
【００３１】
ダイバーウオッチ等を手首に装着する際には、第２の二つ折れ手段１２を閉じて、第２の係止具１７により第２の上蓋１９の開く方向の移動を抑制した状態で、第１の二つ折れ手段１１を閉じると、下方部材１１Ａと上方部材１１Ｂと合わせられた状態となって全体厚さが薄くなるとともに、第１の上蓋１３を第１の二つ折れ手段１１に被せることにより、第１の係止具１６にプッシュボタンユニット１４が係止される。
つまり、プッシュボタンユニット１４における移動子１４ａのローラ部１４ｅが、第１の係止具１６のガイド部１６ｂに接触してオーバーハング部１６ａを乗り越えて、ローラ支持片１４ｄの挟持力によりオーバーハング部１６ａに引っ掛かった状態となる。
【００３２】
次いで、安全蓋１５を図５の鎖線位置から実線の位置に戻すことにより、結合ピン２１及びクリック穴２５が係合状態となってロック状態となる。
この状態にあっては、プッシュボタンユニット１４が押されにくい状態となって第１の係止具１６が解除されることがなく、加えて、安全蓋１５及び第１の上蓋１３が、第２の係止具１７の先端を押え付けた状態となって、第２の二つ折れ手段１２を開く操作が抑止されるとともに、第１の上蓋１３と第２の上蓋１９との上面が、図２に示すように、ほぼ同一曲面に沿って配されて、突出部分がなくなる。
【００３３】
バンド１の長さの通常の調整は、長さ調整機構２０によって行なわれる。即ち、バンド２と第１の上蓋１３との間において、調整穴１３ａに対する調整ピン２４の係合位置を変更することにより実施され、手首回りの寸法に合わせて調整される。
【００３４】
次いで、もう一つの長さ調整操作について以下説明する。
【００３５】
水中において、ダイバーウオッチを使用する場合にあっては、腕の部分に装着する等の状態切り替えが行なわれる。
まず、図６に示すように、安全蓋１５を開いた状態とするとともに、プッシュボタンユニット１４の操作により第１の上蓋１３を開いた状態とする。
【００３６】
図９（ａ）に示すように、第２の上蓋１９を引き上げて、リンク部１８を第２の上方部材１２Ｂから離間させ、図９（ｂ）に示す状態とする。第２の上蓋１９の引き上げ途中で、主ピン１２Ｃ、組み付けピン２２、結合ピン２３及び接続ピン２６で構成される４節リンクの角度、つまり、第２の上方部材１２Ｂとリンク部１８との間の角度が急激に変化することと、第２の上方部材１２Ｂ及びリンク部１８の一部が弾性変形をともなうこととによって、クリック感が発生するとともに、第２の係止具１７が、組み付けピン２２から外れ易くなる。
【００３７】
第２の係止具１７を組み付けピン２２から外して、図９（ｃ）に示すように解放状態とし、次いで、第２の二つ折れ手段１２を開いた状態とすると、図８に示すように、寸法差Ｌの分だけ寸法が大きくなる。
したがって、第２の二つ折れ手段１２を開いた状態のまま、第１の上蓋１３及び安全蓋１５を閉じて、腕の部分等に装着するものである。
例えば、第２の二つ折れ手段１２を開いた場合の寸法増加量は、１０数ｍｍないし３０数ｍｍ程度に設定される。
【００３８】
したがって、このような機能を持つダイバーバンド用バックル１０にあっては、長さ調整機構２０による長さ調整機能に加えて、図８に示すように、第２の二つ折れ手段１２を開いた状態とすることによって、ダイバーウオッチを手首から腕（ウエットスーツの上側等）に付け替える場合のように、寸法を大きくする場合に利用される。
第１の上蓋１３及び安全蓋１５を閉じた状態とすると、再び安全蓋１５を大きく開くまで第１の二つ折れ手段１１を開くことができなくなるので、装着時の安全性が保持される。
【００３９】
なお、長さ調整機構２０にあっては、第２の上蓋１９の部分に配することも可能であり、かつ、その際に第１の上蓋１３と第２の上蓋１９との両方に配してもよい。
図１ないし図１０例では、長さ調整機構２０を第１の上蓋１３の部分のみに配して、機能の単純化を図っている。
【００４０】
【発明の効果】
本発明のダイバーバンド用バックルによれば、以下の効果を奏する。
（１）  第１及び第２の二つ折れ手段と、第１の二つ折れ手段の上を覆う第１の上蓋と、第１の上蓋に配されるプッシュボタンユニットと、プッシュボタンユニットの操作により係止及び離脱される第１の係止具と、第１の上蓋の上を覆った状態に被せられる安全蓋と、第２の二つ折れ手段の開閉操作を抑制する第２の係止具とを具備することにより、安全蓋を開かないと第１の上蓋及び二つ折れ手段を開くことができないから、不用意にバックルが外れる等の不具合をなくして安全性を高めることができる。
（２）  二つ折れ手段の開閉によりバンド長の調整を行ない、陸上及び水中環境における所望の装着箇所や、太さの異なる部分への装着を容易にし、ダイバーバンド用バックルの用途を拡大することができる。
（３）  安全蓋によって、第１及び第２の二つ折れ手段の開放移動を拘束することにより、安全性を確保することができる。
（４）  第２の二つ折れ手段の開閉によって、装着寸法の設定を行なうことにより、寸法調整を単純化することができる。
（５）  安全蓋及び第１の上蓋によって第２の二つ折れ手段の開放移動を拘束することにより、安全性を飛躍的に向上させることができる。
（６）  第１の上蓋と第２の上蓋との上面を同一曲面に沿った設定とすることにより、突出箇所の発生を少なくし、デザイン上の統一性を図ることができる。
（７）  開閉時の摩擦接触を少なくすることにより、部品の摩耗を低減して耐久性を向上させることができる。
【図面の簡単な説明】
【図１】  本発明に係るダイバーバンド用バックルの一実施形態を示す組み立て状態の斜視図である。
【図２】  本発明に係るダイバーバンド用バックルの一実施形態を示す正面図である。
【図３】  図１におけるプッシュボタンユニットの部分の詳細を示した拡大平面図である。
【図４】  図１における二つ折れ手段の下方部材の構造を示すもので、（ａ）は平面図、（ｂ）は正面図、（ｃ）は側面図である。
【図５】  図１における安全蓋等の部分を示す安全蓋を閉じた状態の正面図である。
【図６】  図１における安全蓋等の部分を示す安全蓋を開いた状態の正面図である。
【図７】  図１における両二つ折れ手段、第１の上蓋、第２の上蓋、安全蓋等の関連を示す正断面図である。
【図８】  図７における第２の二つ折れ手段の部分を示す斜視図である。
【図９】  図７における第２の係止具及びリンク部の動きを示す拡大断面図である。
【図１０】  図１における第２の二つ折れ手段の第２の上方部材の構造を示すもので、（ａ）は側面図、（ｂ）は平面図である。
【符号の説明】
Ｘ…時計
１…第１のダイバーバンド片（第１のバンド）
２…第２のダイバーバンド片（第２のバンド）
１０…ダイバーバンド用バックル
１１…第１の二つ折れ手段
１１Ａ…下方部材
１１Ｂ…上方部材
１１Ｃ…主ピン
１２…第２の二つ折れ手段
１２ａ…穴部
１２Ａ…第２の下方部材（下方部材）
１２Ｂ…第２の上方部材（上方部材）
１２Ｃ…主ピン
１３…第１の上蓋
１３ａ…調整穴
１３ｂ…凹部
１３ｃ…操作窪部
１４…プッシュボタンユニット
１５…安全蓋
１６…第１の係止具
１７…第２の係止具
１８…リンク部
１９…第２の上蓋
２０…長さ調整機構
２１…結合ピン（ピン）
２２…組み付けピン（ピン）
２３…結合ピン（ピン）
２４…調整ピン（ピン）
２５…クリック穴（係止凹部）
２６…接続ピン（ピン）
２７…接続ピン（ピン）
【図１】
0003847861.tif 000002
【図２】
0003847861.tif 000003
【図３】
0003847861.tif 000004
【図４】
0003847861.tif 000005
【図５】
0003847861.tif 000006
【図６】
0003847861.tif 000007
【図７】
0003847861.tif 000008
【図８】
0003847861.tif 000009
【図９】
0003847861.tif 000010
【図１０】
0003847861.tif 000011